(57)【要約】【課題】通常動作と並行して音響特性を測定することができ、測定のためだけの時間が不要であって、利用者が耳障りに感じることを防止することができる音響特性測定装置および方法を提供すること。【解決手段】音響特性測定装置は、透かし信号が埋め込まれた音響信号を出力するスピーカ１１０と、スピーカ１１０から出力された音響信号を所定の聴取位置で集音するマイクロホン１５０と、マイクロホン１５０によって集音した音響信号に埋め込まれた透かし信号に基づいて、スピーカ１１０から聴取位置までの音響空間の音響特性を判定する音響特性測定部１６０とを備える。【選択図】図１
2019159288.tif 000002
【特許請求の範囲】
【請求項１】
透かし信号が埋め込まれた音響信号を出力するスピーカと、
前記スピーカから出力された音響信号を所定の聴取位置で集音するマイクロホンと、
前記マイクロホンによって集音した音響信号に埋め込まれた前記透かし信号に基づいて、前記スピーカから前記聴取位置までの音響空間の音響特性を判定する音響特性判定手段と、
を備えることを特徴とする音響特性測定装置。
【請求項２】
前記音響信号に埋め込まれた前記透かし信号が前記スピーカから出力される出力タイミングを通知する透かし信号タイミング通知手段をさらに備え、
前記音響特性判定手段は、前記透かし信号タイミング通知手段による通知に応じて音響特性の判定を行うことを特徴とする請求項１に記載の音響特性測定装置。
【請求項３】
前記音響特性判定手段は、
前記マイクロホンで集音した音響信号における前記透かし信号の埋め込み位置を検出する透かし埋め込み位置判定手段と、
前記透かし信号タイミング通知手段による通知と前記透かし埋め込み位置判定手段による判定結果とに基づいて、前記音響特性としての前記音響空間における音響信号の遅延時間を算出する遅延時間算出手段と、
を備えることを特徴とする請求項２に記載の音響特性測定装置。
【請求項４】
前記透かし埋め込み位置判定手段は、前記マイクロホンで集音した音響信号と前記透かし信号との相互相関を算出することにより、前記透かし信号の埋め込み位置を検出することを特徴とする請求項３に記載の音響特性測定装置。
【請求項５】
前記透かし信号タイミング通知手段は、前記スピーカから前記透かし信号の出力が完了した第１のタイミングを通知し、
前記透かし埋め込み位置判定手段は、前記透かし信号の埋め込み位置を検出することにより、前記マイクロホンに前記透かし信号の取り込みが完了した第２のタイミングを判定し、
前記遅延時間算出手段は、前記第１および第２のタイミングの差を遅延時間として算出することを特徴とする請求項３または４に記載の音響特性測定装置。
【請求項６】
前記透かし信号タイミング通知手段は、前記透かし信号を前記スピーカから出力する時刻を前記出力タイミングとして前記透かし信号に含ませることを特徴とする請求項３〜５のいずれか一項に記載の音響特性測定装置。
【請求項７】
前記音響特性判定手段は、
前記マイクロホンによって集音した音響信号に埋め込まれた前記透かし信号を抽出する透かし信号抽出手段と、
前記スピーカから出力される音響信号に含まれる前記透かし信号としての第１の透かし信号と、前記透かし信号抽出手段によって抽出された前記透かし信号としての第２の透かし信号とに基づいて、前記音響特性としての周波数応答関数を算出する周波数応答関数算出手段と、
を備えることを特徴とする請求項２に記載の音響特性測定装置。
【請求項８】
前記周波数応答関数算出手段は、前記第１および第２の透かし信号のそれぞれの離散フーリエ変換を算出することにより、前記周波数応答関数の算出を行うことを特徴とする請求項６に記載の音響特性測定装置。
【請求項９】
前記周波数応答関数算出手段は、前記第１および第２の透かし信号のそれぞれの離散フーリエ変換を高速フーリエ変換で算出することを特徴とする請求項７に記載の音響特性測定装置。
【請求項１０】
前記透かし信号タイミング通知手段は、前記スピーカから前記透かし信号の出力を開始した第３のタイミングを通知し、
前記周波数応答関数算出手段は、前記第３のタイミングに合わせて前記第１および第２の透かし信号から周波数応答関数の算出を行うことを特徴とする請求項７または８に記載の音響特性測定装置。
【請求項１１】
前記透かし信号は、スペクトル拡散法を用いて生成されることを特徴とする請求項１〜１０のいずれか一項に記載の音響特性測定装置。
【請求項１２】
前記透かし信号は、所定のデータに疑似乱数系列データを乗算することにより生成されることを特徴とする請求項１１に記載の音響特性測定装置。
【請求項１３】
前記透かし信号が埋め込まれた前記音響信号を格納する音響信号格納手段と、
前記音響信号格納手段から前記音響信号を読み出して前記スピーカから出力する音響信号出力手段と、
をさらに備えることを特徴とする請求項１〜１２のいずれか一項に記載の音響特性測定装置。
【請求項１４】
前記音響信号格納手段は、あらかじめ用意されて読み出す毎に内容が変化しない前記音響信号が格納されていることを特徴とする請求項１３に記載の音響特性測定装置。
【請求項１５】
前記透かし信号が埋め込まれる前の音響信号としての埋め込み対象音響信号が入力され、前記透かし信号の埋め込みの適否を判定する埋め込み適否判定手段と、
前記埋め込み適否判定手段によって、前記透かし信号の埋め込みに適していると判定された前記埋め込み対象音響信号に対して前記透かし信号を埋め込んで前記音響信号を作成する音響信号作成手段と、
をさらに備えることを特徴とする請求項１〜１２のいずれか一項に記載の音響特性測定装置。
【請求項１６】
前記埋め込み適否判定手段は、可聴帯域について周波数成分のレベルが前記埋め込み信号よりも前記埋め込み対象音響信号の方が大きい場合に、前記透かし信号の埋め込みに適している旨の判定を行うことを特徴とする請求項１５に記載の音響特性測定装置。
【請求項１７】
透かし信号が埋め込まれた音響信号をスピーカから出力することと、
前記スピーカから出力された音響信号を所定の聴取位置でマイクロホンで集音することと、
前記マイクロホンによって集音した音響信号に埋め込まれた前記透かし信号に基づいて、前記スピーカから前記聴取位置までの音響空間の音響特性を音響特性判定手段によって判定することと、
を有することを特徴とする音響特性測定方法。
【発明の詳細な説明】
【技術分野】
【０００１】
本発明は、車室内等に設置されたスピーカと聴取位置との間の音響特性を測定する音響特性測定装置および方法に関する。
【背景技術】
【０００２】
従来から、ＴＳＰ（Time-Stretched Pulse）信号や正弦波信号を用いて、スピーカからリスニングポイント（聴取位置）までのインパルス応答を算出する音響処理装置が知られている（例えば、特許文献１参照。）。ＴＳＰ信号を用いる場合には、マイクロホンで集音した後にインパルス応答が求められる。このインパルス応答は、各スピーカから出力される音声のリスニングポイントまでの音響特性なので、原音再生のため各スピーカから出力する音声の遅延時間の調整や周波数特性の補正に利用される。また、正弦波信号を用いる場合には、１周波数ずつ正弦波信号を出力しマイクロホンで集音して得られた測定音波形の立上りエッジを検出したり、システム同定を行ったりすることでスピーカからリスニングポイントまでのインパルス応答が算出される。
【先行技術文献】
【特許文献】
【０００３】
【特許文献１】特開２００８−２０９４９１号公報
【発明の概要】
【発明が解決しようとする課題】
【０００４】
ところで、上述した特許文献１に開示された音響処理装置では、ＴＳＰ信号や正弦波信号などの測定用信号をスピーカから出力してマイクロホンで集音しているため、スピーカやマイクロホンが通常動作で使用されている間（通常動作時）は、スピーカからマイクロホンまでの間の音響特性を測定することができないという問題があった。また、通常動作の前後や、通常動作を中断して、上述した測定用信号をスピーカから出力して音響特性を測定することはできるが、測定のためだけの時間が必要になるとともに、測定用信号は音声や音楽とは関係のない音であるため、利用者が耳障りに感じるおそれがあるという問題があった。
【０００５】
本発明は、このような点に鑑みて創作されたものであり、その目的は、通常動作と並行して音響特性を測定することができ、測定のためだけの時間が不要であって、利用者が耳障りに感じることを防止することができる音響特性測定装置および方法を提供することにある。
【課題を解決するための手段】
【０００６】
上述した課題を解決するために、本発明の音響特性測定装置は、透かし信号が埋め込まれた音響信号を出力するスピーカと、スピーカから出力された音響信号を所定の聴取位置で集音するマイクロホンと、マイクロホンによって集音した音響信号に埋め込まれた透かし信号に基づいて、スピーカから聴取位置までの音響空間の音響特性を判定する音響特性判定手段とを備えている。
【０００７】
また、本発明の音響特性測定方法は、透かし信号が埋め込まれた音響信号をスピーカから出力することと、スピーカから出力された音響信号を所定の聴取位置でマイクロホンで集音することと、マイクロホンによって集音した音響信号に埋め込まれた透かし信号に基づいて、スピーカから聴取位置までの音響空間の音響特性を音響特性判定手段によって判定することとを有している。
【０００８】
透かし信号を用いてスピーカからマイクロホンまでの音響空間の音響特性が測定されるため、音響信号を用いた通常動作と音響特性の測定動作とを並行して行うことができ、音響特性測定のためだけの時間が不要となる。また、透かし信号が音響信号に埋め込まれているため、利用者が音響特性測定のための信号を特に意識することがなく、利用者が耳障りに感じることを防止することができる。
【０００９】
また、上述した音響信号に埋め込まれた透かし信号がスピーカから出力される出力タイミングを通知する透かし信号タイミング通知手段をさらに備え、音響特性判定手段は、透かし信号タイミング通知手段による通知に応じて音響特性の判定を行うことが望ましい。透かし信号がスピーカから出力されるタイミングを知ることにより、スピーカから透かし信号が出力されるタイミングを基準としたスピーカからマイクロホンまでの音響空間の音響特性を測定することが可能となる。
【００１０】
また、上述した音響特性判定手段は、マイクロホンで集音した音響信号における透かし信号の埋め込み位置を検出する透かし埋め込み位置判定手段と、透かし信号タイミング通知手段による通知と透かし埋め込み位置判定手段による判定結果とに基づいて、音響特性としての音響空間における音響信号の遅延時間を算出する遅延時間算出手段とを備えることが望ましい。これにより、スピーカから出力される透かし信号の出力タイミングとマイクロホンで集音した音響信号に含まれる透かし信号の埋め込み位置、すなわちマイクロホンに到達した透かし信号のタイミングとの差としての遅延時間を得ることができる。
【００１１】
また、上述した透かし埋め込み位置判定手段は、マイクロホンで集音した音響信号と透かし信号との相互相関を算出することにより、透かし信号の埋め込み位置を検出することが望ましい。音響信号に埋め込まれた透かし信号がマイクロホンで集音されるタイミングで、この音響信号と透かし信号との相互相関が最大となるため、相互相関の算出結果に基づいて、集音した音響信号における透かし信号の埋め込み位置を知ることができる。
【００１２】
また、上述した透かし信号タイミング通知手段は、スピーカから透かし信号の出力が完了した第１のタイミングを通知し、透かし埋め込み位置判定手段は、透かし信号の埋め込み位置を検出することにより、マイクロホンに透かし信号の取り込みが完了した第２のタイミングを判定し、遅延時間算出手段は、第１および第２のタイミングの差を遅延時間として算出することが望ましい。これにより、スピーカから透かし信号の出力が終了した時点からマイクロホンによってこの透かし信号の取り込み（集音）が終了した時点までの時間を遅延時間として測定することが可能となる。
【００１３】
また、上述した透かし信号タイミング通知手段は、透かし信号をスピーカから出力する時刻を出力タイミングとして透かし信号に含ませることが望ましい。透かし信号にその出力時刻を含ませることにより、同種の情報の別系統での通知が不要になり、構成を簡略化することができる。
【００１４】
また、上述した音響特性判定手段は、マイクロホンによって集音した音響信号に埋め込まれた透かし信号を抽出する透かし信号抽出手段と、スピーカから出力される音響信号に含まれる透かし信号としての第１の透かし信号と、透かし信号抽出手段によって抽出された透かし信号としての第２の透かし信号とに基づいて、音響特性としての周波数応答関数を算出する周波数応答関数算出手段とを備えることが望ましい。この場合、スピーカからマイクロホンまでの音響空間を挟んで入出力される前後の２種類の透かし信号を調べることにより、音響空間の音響伝達特性を算出することが可能となる。
【００１５】
また、上述した周波数応答関数算出手段は、第１および第２の透かし信号のそれぞれの離散フーリエ変換を算出することにより、周波数応答関数の算出を行うことが望ましい。特に、上述した周波数応答関数算出手段は、第１および第２の透かし信号のそれぞれの離散フーリエ変換を高速フーリエ変換で算出することが望ましい。これにより、音響信号が音響空間を通過する際の周波数と位相の変化を示す音響伝達特性を得ることができる。
【００１６】
また、上述した透かし信号タイミング通知手段は、スピーカから透かし信号の出力を開始した第３のタイミングを通知し、周波数応答関数算出手段は、第３のタイミングに合わせて第１および第２の透かし信号から周波数応答関数の算出を行うことが望ましい。これにより、音響空間に出力された後の音響信号の周波数等の変化の内容を確実に知ることができる。
【００１７】
また、上述した透かし信号は、スペクトル拡散法を用いて生成されることが望ましい。特に、上述した透かし信号は、所定のデータに疑似乱数系列データを乗算することにより生成されることが望ましい。これにより、広い周波数帯に信号成分が分散した透かし信号を用いることができ、特定周波数の成分について利用者が耳障りに感じることをさらに防止することが可能になるとともに、広い周波数帯に対応する遅延時間や周波数応答関数などの音響特性を測定することが可能となる。
【００１８】
また、上述した透かし信号が埋め込まれた前記音響信号を格納する音響信号格納手段と、前記音響信号格納手段から前記音響信号を読み出して前記スピーカから出力する音響信号出力手段とをさらに備えることが望ましい。特に、上述した音響信号格納手段は、あらかじめ用意されて読み出す毎に内容が変化しない音響信号が格納されていることが望ましい。これにより、音響特性の測定に適した音響信号を予め用意しておくことが可能となる。
【００１９】
また、上述した透かし信号が埋め込まれる前の音響信号としての埋め込み対象音響信号が入力され、透かし信号の埋め込みの適否を判定する埋め込み適否判定手段と、埋め込み適否判定手段によって、透かし信号の埋め込みに適していると判定された埋め込み対象音響信号に対して透かし信号を埋め込んで音響信号を作成する音響信号作成手段とをさらに備えることが望ましい。これにより、通常動作において使用する音響信号の中から音響特性の測定に適したものをその都度選択することが可能となる。
【００２０】
また、上述した埋め込み適否判定手段は、可聴帯域について周波数成分のレベルが埋め込み信号よりも埋め込み対象音響信号の方が大きい場合に、透かし信号の埋め込みに適している旨の判定を行うことが望ましい。これにより、音響特性測定用に用いられる透かし信号を確実にマスキングすることが可能となる。
【図面の簡単な説明】
【００２１】
【図１】本発明の音響特性測定装置の概略的な構成を示す図である。
【図２】オープニング音と透かし信号の埋め込み位置との関係を示す図である。
【図３】遅延時間測定を行う音響特性測定装置の構成を示す図である。
【図４】オープニング音に透かし音を埋め込む処理を示す図である。
【図５】マイクロホンに到達したオープニング音における透かし信号の埋め込み位置を示す図である。
【図６】遅延時間測定の変形例を示す図である。
【図７】遅延時間測定の他の変形例を示す図である。
【図８】透かし信号の出力タイミングを透かし信号に含ませて通知を行う遅延時間測定の変形例を示す図である。
【図９】自身の出力完了時刻を含む透かし信号が埋め込まれたオープニング音を生成する構成を示す図である。
【図１０】復号処理部によるデータ復元の概要を示す図である。
【図１１】音響伝達特性測定を行う音響特性測定装置の構成を示す図である。
【図１２】オーディオ音に透かし信号を埋め込む構成を示す図である。
【発明を実施するための形態】
【００２２】
以下、本発明を適用した一実施形態の音響特性測定装置について、図面を参照しながら説明する。
【００２３】
図１は、本発明の音響特性測定装置の概略的な構成を示す図である。図１に示すように、本発明が適用される音響特性測定装置は、オープニング（ＯＰ）音出力部１００、スピーカ１１０、透かし信号タイミング通知部１２０、マイクロホン１５０、音響特性測定部１６０を備えている。オープニング音出力部１００が音響信号出力手段に、音響特性測定部１６０が音響特性判定手段に、透かし信号タイミング通知部１２０が透かし信号タイミング通知手段にそれぞれ対応する。
【００２４】
この音響特性測定装置は、車両に搭載された車載装置の一部を構成しており、オープニング音出力部１００やスピーカ１１０、マイクロホン１５０は、音響特性測定以外の用途に用いられているものが音響特性測定の用途にも用いられている。
【００２５】
オープニング音出力部１００は、所定のオープニング音を出力する。例えば、このオープニング音としては、車両のアクセサリースイッチがオンされて電源が投入された際に、ナビゲーション装置やオーディオ装置などを含む車載装置において起動時の初期画面の表示と同時に出力される音声や効果音を用いる場合、ＥＴＣ車載機から出力されるＥＴＣカード挿入の有無を知らせる音声を用いる場合など、毎回出力する毎に内容が変化しない音響信号を用いることを想定している。また、このオープニング音には、予め透かし信号が埋め込まれている。
【００２６】
この透かし信号については、例えば、以下の文献に記載されている「スペクトル拡散法」に対応する透かし信号を用いることができる。
【００２７】
西村明，「音響信号への情報秘匿技術」，日本音響学会誌，６３巻，１１号，（２００７），ｐ．６６０−６６７
特に、上述したオープニング音は、内容が既知（固定）であって、従来から用いられてきたオープニング音に代えて、透かし信号を埋め込んだオープニング音を用意して記憶しておいて、この記憶したオープニング音を読み出してスピーカ１１０から出力するだけでよい。また、上述したスペクトル拡散法で作成した透かし信号は、広い周波数範囲にわたって拡散されるため、このような透かし信号をマスキングして利用者に意識させないようにするためには、少なくとも透かし信号が埋め込まれる箇所については、同じく広い周波数範囲にわたって周波数成分を有するオープニング音を選択する必要がある。
【００２８】
また、スピーカ１１０およびマイクロホン１５０は、音響空間内であって、音響特性測定を行う所定位置に配置されている。例えば、イコライザ装置やアクティブノイズキャンセラ（ＡＮＣ）などで用いる音響特性（音響伝達特性）の測定を想定する場合には、これらの装置に接続されたスピーカ１１０や、利用者の聴取位置近傍に設けられたマイクロホン１５０がそのまま用いられる。あるいは、オーディオ装置などにおいて複数のスピーカのそれぞれから出力されたオーディオ音が利用者の聴取位置に到達するまでの時間差を補正する場合には、オーディオ装置に接続されたスピーカ１１０や、利用者の聴取位置近傍に設けられたマイクロホン１５０がそのまま用いられる。
【００２９】
透かし信号タイミング通知部１２０は、オープニング音出力部１００から出力されるオープニング音（音響信号）に埋め込まれた透かし信号がスピーカ１１０から出力される出力タイミングを音響特性測定部１６０に向けて通知する。
【００３０】
図２は、オープニング音と透かし信号の埋め込み位置との関係を示す図である。横軸は経過時間ｔを、縦軸はオープニング音の信号レベルをそれぞれ示している。また、オープニング音の出力開始時点をｔ１、オープニング音の出力完了時点をｔ４、所定の時間長を有して埋め込まれた透かし信号の出力開始時点をｔ２、透かし信号の出力完了時点をｔ３とする。透かし信号タイミング通知部１２０は、透かし信号の出力開始時点ｔ２と出力完了時点ｔ３の少なくとも一方を出力タイミングとして通知する。
【００３１】
音響特性測定部１６０は、透かし信号タイミング通知部１２０による通知に応じて、マイクロホン１５０によって集音した音響信号（オープニング音）に埋め込まれた透かし信号に基づいて、スピーカ１１０からマイクロホン１５０までの音響空間の音響特性を判定（測定）する。
【００３２】
本実施形態において測定対象となる音響特性としては、（１）スピーカ１１０から出力された音響信号がマイクロホン１５０に到達するまでの遅延時間と、（２）この音響空間の音響伝達特性（周波数応答関数）を考えるものとし、以下ではそれぞれの音響特性の測定方法について具体的に説明する。
【００３３】
（１）遅延時間の測定
図３は、遅延時間測定を行う音響特性測定装置の構成を示す図である。図１と同じ構成については同じ符号を用い、必要な場合を除き説明は省略する。また、図１に示す構成と対応する構成には類似の符号が用いられている。
【００３４】
図３に示す音響特性測定装置は、オープニング（ＯＰ）音出力部１００、スピーカ１１０、透かし信号完了タイミング通知部１２０Ａ、マイクロホン１５０、遅延時間測定部１６０Ａを備えている。
【００３５】
上述したように、オープニング音出力部１００が出力するオープニング音には予め透かし音が埋め込まれているため、その都度透かし音を埋め込む処理は不要であるが、マイクロホン１５０で集音したオープニング音から透かし音を抽出する処理をわかりやすくするために、最初に、オープニング音に透かし音を埋め込む処理を簡単に説明する。
【００３６】
図４は、オープニング音に透かし音を埋め込む処理を示す図である。所定ビット数のデータ（例えば、スピーカ１１０を識別する情報など）と、スペクトル拡散のための信号兼復号化するための鍵となる疑似乱数系列とを乗算器１０で乗算して透かし信号を生成した後、レベル調整器１２でオープニング音にマスキングされるようにレベルを調整し、加算器１４によってオープニング音を加算する。このようにして、拡散された透かし信号が重畳されたオープニング音（図２）が作成される。例えば、入力されるデータは、８サンプルごとに１あるいは−１の振幅によりビット情報を表しており、データのビット数を６、１ビットのデータレート長が８サンプルで５０ｍｓとすると、６ビットのデータの全体が４８サンプルで、透かし信号の埋め込み時間長は３００ｍｓとなる。なお、疑似乱数系列は、１サンプルごとに１あるいは−１が割り当てられており、乗算器１０によって、サンプル単位でデータと疑似乱数系列との乗算が行われる。
【００３７】
このようにして作成されたオープニング音は、オープニング（ＯＰ）音格納部１６に格納される。図１や図３に示したオープニング音出力部１００は、透かし音が埋め込まれた後のオープニング音をオープニング音格納部１６から読み出してスピーカ１１０から出力している。上述したオープニング音格納部１６が音響信号格納手段に対応する。
【００３８】
次に、図３に戻って、遅延時間測定部１６０Ａによる遅延時間の測定動作を説明する。遅延時間測定部１６０Ａは、透かし信号完了タイミング通知部１２０Ａによる通知に応じて、マイクロホン１５０によって集音したオープニング音に埋め込まれた透かし信号に基づいて、スピーカ１１０からマイクロホン１５０までの音響空間における音響信号の遅延時間を測定する。
【００３９】
図３に示すように、遅延時間測定部１６０Ａは、相互相関算出部１６２、透かし埋め込み位置判定部１６３、タイマ１６４を備えている。上述した透かし信号完了タイミング通知部１２０Ａが透かし信号タイミング通知手段に、相互相関算出部１６２、透かし埋め込み位置判定部１６３が透かし埋め込み位置判定手段に、タイマ１６４が遅延時間算出手段にそれぞれ対応する。
【００４０】
相互相関算出部１６２は、マイクロホン１５０から出力される集音されたオープニング音と、このオープニング音に埋め込まれた透かし信号を作成するために用いられた疑似乱数系列との相互相関を算出する。上述したように、透かし信号が４８サンプルのビットデータからなる場合には、この４８サンプル分の相関値が、オープニング音の対象箇所を１サンプル分ずつずらしながら算出される。
【００４１】
透かし埋め込み位置判定部１６３は、相互相関算出部１６２によって算出される相関値が最大となった対象箇所を、オープニング音に対する透かし信号の埋め込み位置として判定する。
【００４２】
図５は、マイクロホン１５０に到達したオープニング音における透かし信号の埋め込み位置を示す図である。図５において、ＯＰ１は、スピーカ１１０から出力されたオープニング音であり、図２に示したものと同じである。スピーカ１１０からはｔ１の時点においてオープニング音ＯＰ１の出力が開始され、ｔ２の時点において透かし信号の出力が開始される。その後、ｔ３の時点で透かし信号の出力が完了し、さらにｔ４の時点でオープニング音ＯＰ１の出力が完了する。このように透かし信号が埋め込まれたオープニング音ＯＰ１は、スピーカ１１０からマイクロホン１５０までの音響信号の遅延時間をＴとすると、スピーカ１１０から出力された後、時間Ｔだけ遅れてマイクロホン１５０に到達する。
【００４３】
図５において、ＯＰ２は、集音されてマイクロホン１５０から出力されるオープニング音である。このオープニング音ＯＰ２は、ｔ１１（＝ｔ１＋Ｔ）の時点で開始され、ｔ１４（＝ｔ４＋Ｔ）の時点で終了する。一方、このオープニング音ＯＰ２に埋め込まれた透かし信号は、ｔ１２（＝ｔ２＋Ｔ）の時点で開始され、ｔ１３（＝ｔ３＋Ｔ）の時点で終了する。
【００４４】
上述した相互相関算出部１６２によって算出される相互相関は、透かし信号の出力が終了したｔ１３の時点で最大となるため、透かし埋め込み位置判定部１６３は、このｔ１３を透かし信号の埋め込み位置として判定して、透かし信号の検出通知をタイマ１６４に向けて出力する。
【００４５】
透かし信号完了タイミング通知部１２０Ａは、スピーカ１１０からオープニング音ＯＰ１が出力中であって、埋め込まれた透かし信号の出力を完了したとき（図２や図５におけるｔ３の時点）に、透かし信号の出力完了通知をタイマ１６４に向けて出力する。
【００４６】
タイマ１６４は、透かし信号完了タイミング通知部１２０Ａから透かし信号の出力完了通知が入力された時点ｔ３でカウントを開始し、その後、透かし埋め込み位置判定部１６３から透かし信号の検出通知が入力された時点ｔ１３でカウントを停止することにより、カウントを開始されてから停止するまでの時間Ｔ（ｔ１３−ｔ３＝（ｔ３＋Ｔ）−ｔ３＝Ｔ）を計測する。この時間Ｔが、スピーカ１１０から出力されたオープニング音がマイクロホン１５０に到達するまでの遅延時間Ｔとして遅延時間測定部１６０Ａから出力される。
【００４７】
このように、本実施形態の音響特性測定装置では、透かし信号を用いてスピーカ１１０からマイクロホン１５０までの音響空間の音響特性としての遅延時間Ｔが測定されるため、音響信号を用いた通常動作と音響特性の測定動作とを並行して行うことができ、音響特性測定のためだけの時間が不要となる。また、透かし信号が音響信号に埋め込まれているため、利用者が音響特性測定のための信号を特に意識することがなく、利用者が耳障りに感じることを防止することができる。
【００４８】
特に、スピーカ１１０から出力される透かし信号の出力タイミングとマイクロホン１５０で集音した音響信号に含まれる透かし信号の埋め込み位置、すなわちマイクロホン１５０に到達した透かし信号のタイミングとの差としての遅延時間を得ることができる。
【００４９】
図６は、遅延時間測定の変形例を示す図である。図６に示す音響特性測定装置は、２つのスピーカ１１０（例えば、車両の左右に備わった１組のスピーカ）のそれぞれからマイクロホン１５０までの音響信号の遅延時間Ｔ１、Ｔ２を測定するためのものであり、２つのスピーカ１１０のそれぞれに対応してオープニング音出力部１００と透かし信号完了タイミング通知部１２０Ａを備えている。
【００５０】
また、一方のオープニング音出力部１００がスピーカ１１０から出力するオープニング音ＯＰ−Ａに埋め込まれた透かし信号Ａと、他方のオープニング音出力部１００がスピーカ１１０から出力するオープニング音ＯＰ−Ｂに埋め込まれた透かし信号Ｂとでは、それぞれの埋め込み位置が重ならないようにずらして設定されている。なお、透かし信号Ａと透かし信号Ｂは、図４に示した乗算器１０に入力するデータの内容が異なっているとともに、透かし信号Ａ、Ｂの作成に用いられる疑似乱数系列の内容が異なっている。
【００５１】
一方の遅延時間測定部１６０Ａは、オープニング音ＯＰ−Ａに埋め込まれた透かし信号Ａに着目して一方のスピーカ１１０からマイクロホン１５０までの音響信号の遅延時間Ｔ１を測定する。また、他方の遅延時間測定部１６０Ａは、オープニング音ＯＰ−Ｂに埋め込まれた透かし信号Ｂに着目して一方のスピーカ１１０からマイクロホン１５０までの音響信号の遅延時間Ｔ２を測定する。
【００５２】
なお、図６に示した構成では、２つのスピーカ１１０と１つのマイクロホン１５０との組み合わせについて説明したが、３以上のマルチスピーカと１つのマイクロホン１５０の組み合わせや、１あるいは複数のスピーカと２以上のマイクロホンとの組み合わせについても同様であり、図６に示した構成を拡張することができる。
【００５３】
ところで、スピーカ１１０の数が多くなると（マルチスピーカの場合）、スピーカ１１０の数に対応して用意される複数の透かし信号がオープニング音に収まらなくなるおそれがある。この場合には、１回目のオープニング音出力時に一部のスピーカ１１０について遅延時間を測定し、次回の起動時等の２回目以降のオープニング音出力時に残りのスピーカ１１０について遅延時間を測定するようにすればよい。例えば、このような遅延時間測定を分割して行う制御（遅延時間測定を実施するオープニング音出力部１００と遅延時間測定部１６０Ａの選択）は、図示しない制御部によって行われる。
【００５４】
また、複数のスピーカ１１０のそれぞれについて遅延時間の測定を行う場合には、複数の遅延時間測定部１６０Ａにおける演算処理を並行して行うことになるが、スピーカ１１０の数が多くなるとこの演算処理を行うデジタル処理装置（ＤＳＰ）等のプロセッサの演算量が多くなり、高価なプロセッサを用いる必要がある。このため、上述したマルチスピーカの場合と同様に、複数回に分けて、同時に演算を行う遅延時間測定部１６０Ａの数を減らすようにしてもよい。この場合も、遅延時間測定を分割して行う制御（遅延時間測定を実施するオープニング音出力部１００と遅延時間測定部１６０Ａの選択）は、図示しない制御部によって行われる。
【００５５】
また、この場合に、１回目のオープニング音と２回目以降のオープニング音とでは、必ずしも透かし信号の埋め込み位置をずらしたり、内容を変更する必要はなく、同じ透かし信号を用いるようにしてもよい。これにより、マイクロホン１５０に接続される遅延時間測定部１６０Ａの数、すなわち、遅延時間測定に必要な処理負担を少なくすることができる。
【００５６】
図７は、遅延時間測定の他の変形例を示す図である。図７に示す音響特性測定装置は、２つのスピーカ１１０のそれぞれからマイクロホン１５０までの音響信号の遅延時間を測定するためのものであり、１組のオープニング音出力部１００および透かし信号完了タイミング通知部１２０Ａと、透かし信号が埋め込まれていないオープニング音を出力するオープニング音出力部１００Ａと、２つの切替スイッチ１７０、１７２と、制御部１８０とを備えている。
【００５７】
この音響特性測定装置では、１回目のオープニング音の出力によって一方のスピーカ１１０からマイクロホン１５０までの音響信号の遅延時間測定を行い、２回目のオープニング音の出力によって他方のスピーカ１１０からマイクロホン１５０までの音響信号の遅延時間測定を行う。制御部１８０は、２つの切替スイッチ１７０、１７２を切り替えることにより、１回目のオープニング音出力時には、一方のスピーカ１１０から透かし信号が埋め込まれたオープニング音が出力され、他方のスピーカ１１０から透かし信号が含まれないオープニング音が出力されるようにする。これにより、透かし信号が埋め込まれた一方のスピーカ１１０からマイクロホン１５０までの遅延時間が測定される。また、制御部１８０は、２つの切替スイッチ１７０、１７２を切り替えることにより、２回目のオープニング音出力時には、他方のスピーカ１１０から透かし信号が埋め込まれたオープニング音が出力され、一方のスピーカ１１０から透かし信号が含まれないオープニング音が出力されるようにする。これにより、透かし信号が埋め込まれた他方のスピーカ１１０からマイクロホン１５０までの遅延時間が測定される。
【００５８】
ところで、上述した実施形態では、透かし信号タイミング通知部１２０（透かし信号完了タイミング通知部１２０Ａ）によってオープニング音出力部１００から出力されるオープニング音に埋め込まれた透かし信号がスピーカ１１０から出力される出力タイミングを音響特性測定部１６０（遅延時間測定部１６０Ａ）に通知するようにしたが、同様の信号を透かし信号に含ませて音響特性測定部１６０（遅延時間測定部１６０Ａ）に通知するようにしてもよい。
【００５９】
図８は、透かし信号の出力タイミングを透かし信号に含ませて通知を行う遅延時間測定の変形例を示す図である。図８に示す音響特性測定装置は、オープニング音出力部１００Ｂ、スピーカ１１０、マイクロホン１５０、遅延時間測定部１６０Ｂを備えている。
【００６０】
オープニング音出力部１００Ｂは、埋め込まれた透かし信号の出力タイミングがこの透かし信号自身に含まれるオープニング音を出力する。音響特性測定装置（車載装置）が起動されてその時点での時刻がわかると、オープニング音の出力時刻もわかるため、オープニング音の所定位置に埋め込まれる透かし信号の出力タイミング（例えば、出力完了時刻Ｔ０）を算出して、この透かし信号にこの透かし信号自身の出力完了時刻を含ませることが可能となる。
【００６１】
図９は、自身の出力完了時刻を含む透かし信号が埋め込まれたオープニング音を生成する構成を示す図である。図９に示す構成は、図４に示した構成に対してデータ作成部１８が追加されている。データ作成部１８は、透かし信号の出力完了時刻を示す所定ビット数のデータを乗算器１０に入力する。演算器１０以降の処理は、図４に示した構成と同様であり、出力完了時刻を含む透かし信号が埋め込まれたオープニング音がオープニング音格納部１６に格納される。
【００６２】
図８に示したオープニング音出力部１００Ｂは、オープニング音格納部１６に格納されたオープニング音を所定のタイミング（透かし信号の出力完了タイミングがこの透かし音のデータに含まれる出力完了時刻Ｔ０と一致するタイミング）で読み出してスピーカ１１０から出力する。
【００６３】
遅延時間測定部１６０Ｂは、マイクロホン１５０によって集音したオープニング音に埋め込まれた透かし信号の埋め込み位置とこの透かし信号に含まれる出力完了時刻Ｔ０とに基づいて、スピーカ１１０からマイクロホン１５０までの音響空間における音響信号の遅延時間を測定する。
【００６４】
図８に示すように、遅延時間測定部１６０Ｂは、相互相関算出部１６２、透かし埋め込み位置判定部１６３、遅延時間算出部１６４Ａ、復号処理部１６５を備えている。図３と同じ構成については同じ符号を用い、必要な場合を除き説明は省略する。また、図３に示す構成と対応する構成には類似の符号が用いられている。
【００６５】
透かし埋め込み位置判定部１６３は、相互相関算出部１６２によって算出される相関値が最大となった対象箇所を、オープニング音に対する透かし信号の特定の埋め込み位置として判定し、この透かし信号のマイクロホン１５０への取り込みが完了した時刻Ｔ１を特定する。
【００６６】
復号処理部１６５は、マイクロホン１５０から出力される集音されたオープニング音に基づいて、埋め込まれた透かし信号に含まれるデータ（出力完了時刻Ｔ０）を復元する。
【００６７】
図１０は、復号処理部１６５によるデータ復元の概要を示す図である。上述したように、透かし信号埋め込み位置判定部１６３によって透かし信号の取り込みが完了した時点（時刻ｔ１３）が判定されると、その時点を基準にしてその直前にマイクロホン１５０に入力されたオープニング音の中の透かし信号に対応する箇所を同定することができる。加算器２０は、同定された箇所の第１のオープニング音（例えば、マイクロホン１５０から出力されるオープニング音が図示しない格納部に一旦格納され、該当箇所が同定された後に読み出すことができるものとする）から、同じ位置に対応する透かし信号なしの第２のオープニング音を差し引くことにより、オープニング音に埋め込まれた透かし信号を抽出する。乗算器２１は、この抽出された透かし信号に、この透かし信号の作成に使用した疑似乱数系列を乗算することにより、スペクトル拡散に対する逆拡散処理を行ってデータを復元する。なお、実際には、データの各ビットが８サンプルで表されている場合には、この８サンプルに相当するデータレートごとに振幅の平均をとることにより、所定ビット数の第２のデータの復元が行われる。
【００６８】
遅延時間算出部１６４Ａは、透かし埋め込み位置判定部１６３によって特定された時刻Ｔ１（透かし信号がマイクロホン１５０に到達した時刻）から、復号処理部１６５によって復元されたデータで示される時刻Ｔ０（透かし信号がスピーカ１１０から出力された出力完了時刻Ｔ０）を差し引くことにより、これらの差であるスピーカ１１０からマイクロホン１５０までの音響信号の遅延時間Ｔを算出する。
【００６９】
このように、透かし信号にその出力時刻を含ませることにより、同種の情報を別系統で通知を行う必要がないため、構成を簡略化することができる。
【００７０】
なお、スピーカ１１０が複数ある場合やマイクロホン１５０が複数ある場合などの組み合わせについても、透かし信号に出力時刻を含ませることにより、同様に各スピーカと各マイクロホンの組み合わせについて遅延時間を算出できる。また、どのスピーカから出力されたオープニング音に含まれる透かし信号かを識別する方法については、透かし信号を作成するために用いられる疑似符号系列に基づいて識別するようにしてもよいし、透かし信号のデータにスピーカのＩＤ等を含ませて識別するようにしてもよい。
【００７１】
（２）音響伝達特性（周波数応答関数）の測定
図１１は、音響伝達特性測定を行う音響特性測定装置の構成を示す図である。図１と同じ構成については同じ符号を用い、必要な場合を除き説明は省略する。また、図１に示す構成と対応する構成には類似の符号が用いられている。
【００７２】
図１１に示す音響特性測定装置は、オープニング（ＯＰ）音出力部１００、スピーカ１１０、透かし信号開始タイミング通知部１２０Ｂ、マイクロホン１５０、周波数応答関数測定部１６０Ｃを備えている。
【００７３】
透かし信号開始タイミング通知部１２０Ｂは、スピーカ１１０からオープニング音が出力中であって、埋め込まれた透かし信号の出力を開始したとき（図２や図５におけるｔ２の時点）に、透かし信号の出力開始通知を周波数応答関数測定部１６０Ｃに向けて出力する。
【００７４】
周波数応答関数測定部１６０Ｃは、透かし信号開始タイミング通知部１２０Ｂによる通知に応じて、マイクロホン１５０によって集音したオープニング音に埋め込まれた透かし信号に基づいて、スピーカ１１０からマイクロホン１５０までの音響空間における音響信号の音響伝達特性（周波数応答関数）を測定する。
【００７５】
図１１に示すように、周波数応答関数測定部１６０Ｃは、オープニング（ＯＰ）音格納部２６１、加算器２６２、ＦＦＴ（高速フーリエ変換）処理部２６３、２６５、透かし信号格納部２６４、周波数応答関数算出部２６６を備えている。上述した透かし信号開始タイミング通知部１２０Ｂが透かし信号タイミング通知手段に、オープニング音格納部２６１、加算器２６２が透かし信号抽出手段に、ＦＦＴ処理部２６３、２６５、透かし信号格納部２６４、周波数応答関数算出部２６６が周波数応答関数算出手段にそれぞれ対応する。
【００７６】
オープニング音格納部２６１は、透かし信号開始タイミング通知部１２０Ｂから透かし信号の出力開始通知が出力されたときに格納動作を開始し、マイクロホン１５０で集音されたオープニング音を所定タップ数（サンプル数）分格納する。例えば、図４を用いて説明したように、データのビット数が６、１ビットのデータレート長が８サンプルで５０ｍｓとすると、６ビットのデータの全体が４８サンプル（４８タップ）で３００ｍｓの場合に、１７５タップ分（＝１０９３．７５ｍｓ）のオープニング音がオープニング音格納部２６１に格納される。
【００７７】
加算器２６２は、オープニング音格納部２６１に格納されたオープニング音（第１のオープニング音）から、透かし信号が埋め込まれていないオープニング音（第２のオープニング音）を差し引くことにより、マイクロホン１５０で集音したオープニング音の中から透かし信号に対応する成分を抽出する。ＦＦＴ処理部２６３は、加算器２６２から出力された透かし信号（マイクロホン１５０で集音した透かし信号）の離散フーリエ変換を高速フーリエ変換を行って算出する。
【００７８】
透かし信号格納部２６４は、スピーカ１１０から出力されるオープニング音に埋め込まれた透かし信号と所定数のゼロデータを格納している。具体的には、例えば、図４の乗算器１０から出力される４８タップ分の透かし信号と、１２７サンプル（タップ）分のゼロパディングによって追加したゼロデータとで、オープニング音格納部２６１と同じで全体を１７４タップとした透かし信号（スピーカ１１０から出力されて音響空間を通過する前の透かし信号）が格納されている。ＦＦＴ処理部２６５は、透かし信号格納部２６４から読み出した透かし信号（スピーカ１１０から出力された透かし信号）の離散フーリエ変換を高速フーリエ変換を行って算出する。
【００７９】
周波数応答関数算出部２６６は、マイクロホン１５０に到達した透かし信号に対応するＦＦＴ処理部２６３によるＦＦＴ結果と、スピーカ１１０から出力した透かし信号に対応するＦＦＴ処理部２６５によるＦＦＴ結果とに基づいて、具体的には、一方のＦＦＴ結果を他方のＦＦＴ結果で割り算することにより、スピーカ１１０からマイクロホン１５０までの音響空間に対応する音響伝達特性（周波数応答関数）を算出する。
【００８０】
このように、スピーカ１１０からマイクロホン１５０までの音響空間を挟んで入出力される前後の２種類の透かし信号を調べることにより、音響空間の音響伝達特性を算出することが可能となる。特に、ＦＦＴ処理部２６３、２６５を用いることにより、音響信号が音響空間を通過する際の周波数別の振幅と位相の変化を示す音響伝達特性（周波数応答関数）を得ることができる。
【００８１】
なお、スピーカ１１０が複数ある場合やマイクロホン１５０が複数ある場合などの組み合わせについても、各スピーカ１１０と各マイクロホン１５０の１対１の組み合わせに着目することにより、同様にして音響伝達特性を測定することができる。また、スピーカ１１０が複数ある場合に、内容と出力タイミングが異なる複数の透かし信号が別々に埋め込まれたオープニング音を用いることにより、それぞれのスピーカ１１０からマイクロホン１５０までの音響空間の音響伝達特性を並行して測定できる点や、同じ透かし信号を用いたオープニング音を各スピーカ１１０から順番に選択的に出力することにより、各スピーカ１１０からマイクロホン１５０までの音響空間の音響伝達特性を順番に測定して処理負担を軽減できる点についても、上述した遅延時間測定の場合と同様である。
【００８２】
また、本発明は上記実施形態に限定されるものではなく、本発明の要旨の範囲内において種々の変形実施が可能である。例えば、上述した実施形態では、車両に搭載された車載装置に用いられるスピーカ１１０とマイクロホン１５０との間の音響空間における音響信号の遅延時間や音響伝達特性を測定する場合について説明したが、車両以外の音響空間において上述した遅延時間や音響伝達特性を測定する場合について本発明を適用してもよい。
【００８３】
また、上述した実施形態では、予め内容が固定のオープニング音を用いるようにしたが、オーディオ装置から出力されるオーディオ音など、内容が変化する音響信号を用いて透かし信号を埋め込んで遅延時間や音響伝達特性を測定するようにしてもよい。
【００８４】
図１２は、オーディオ音に透かし信号を埋め込む構成を示す図である。図１２に示す構成は、図４に示した構成に、オーディオ音バッファ３０、スペクトル解析部３１、埋め込み範囲設定部３２、オーディオ音抽出部３３、透かし信号合成部３４が追加されている。スペクトル解析部３１、埋め込み範囲設定部３２が埋め込み適否判定手段に、乗算器１０、レベル調整器１２、加算器１４、オーディオ音抽出部３３、透かし信号合成部３４が音響信号作成手段にそれぞれ対応する。
【００８５】
オーディオ音バッファ３０は、スピーカ１１０から出力する前のオーディオ音を一時的に格納する。スペクトル解析部３１は、オーディオ音バッファ３０に格納されたオーディオ音についてスペクトル解析を行う。埋め込み範囲設定部３２は、スペクトル解析部３１の解析結果に基づいて、可聴帯域の全域について所定レベル以上の信号成分が存在するオーディオ音の範囲を透かし信号の埋め込み範囲として設定する。上述したように、スペクトル拡散法で作成した透かし信号は、広い周波数範囲にわたって拡散されるため、このような透かし信号をマスキングするためには、この透かし信号を埋め込むオーディオ音も広い周波数範囲にわたって信号成分を有する必要がある。スペクトル解析部３１および埋め込み範囲設定部３２は、このような用途に適したオーディオ音の一部分を抽出するためのものである。なお、可聴帯域の全域について所定レベル以上の信号成分が存在するという条件を満たさない場合であっても、オーディオ信号のスペクトルから利用者に透かし信号を聴取されないレベルのマスキング効果が期待できる場合は、透かし信号の埋め込み範囲として設定するようにしてもよい。
【００８６】
オーディオ音抽出部３３は、埋め込み範囲設定部３２によって設定された透かし信号の埋め込み範囲に対応する部分的なオーディオ音をオーディオ音バッファ３０から抽出する。この部分的なオーディオ音は、加算器１４に入力され、レベル調整器１２から出力される透かし信号がこの部分的なオーディオ音に埋め込まれる。透かし信号合成部３４は、透かし信号が埋め込まれた部分的なオーディオ音を、透かし信号が埋め込まれる前のオーディオ音に置き換えるオーディオ音の合成処理を行う。この合成処理によって透かし信号が埋め込まれた後のオーディオ音がオーディオ音バッファ３０から読み出されてスピーカ１１０から出力される。
【００８７】
このようにしてオーディオ音等に透かし信号を埋め込むことにより、通常動作において使用する音響信号の中から音響特性の測定に適したものをその都度選択することが可能となる。
【産業上の利用可能性】
【００８８】
上述したように、本発明によれば、透かし信号を用いてスピーカからマイクロホンまでの音響空間の音響特性が測定されるため、音響信号を用いた通常動作と音響特性の測定動作とを並行して行うことができ、音響特性測定のためだけの時間が不要となる。また、透かし信号が音響信号に埋め込まれているため、利用者が音響特性測定のための信号を特に意識することがなく、利用者が耳障りに感じることを防止することができる。
【符号の説明】
【００８９】
１００、１００Ａ、１００Ｂ  オープニング音出力部
１１０  スピーカ
１２０  透かし信号タイミング通知部
１２０Ａ  透かし信号完了タイミング通知部
１２０Ｂ  透かし信号開始タイミング通知部
１５０  マイクロホン
１６０  音響特性測定部
１６０Ａ、１６０Ｂ  遅延時間測定部
１６０Ｃ  周波数応答関数測定部
１６２  相互相関算出部
１６３  透かし埋め込み位置判定部
１６４  タイマ
１６４Ａ  遅延時間算出部
１６５  復号処理部
１７０、１７２  切替スイッチ
１８０  制御部
【図１】
2019159288.tif 000003
【図２】
2019159288.tif 000004
【図３】
2019159288.tif 000005
【図４】
2019159288.tif 000006
【図５】
2019159288.tif 000007
【図６】
2019159288.tif 000008
【図７】
2019159288.tif 000009
【図８】
2019159288.tif 000010
【図９】
2019159288.tif 000011
【図１０】
2019159288.tif 000012
【図１１】
2019159288.tif 000013
【図１２】
2019159288.tif 000014